(57)【要約】【課題】支持枠体の収縮に影響されることなくパネルのガタつきを防ぐことができるとともに、押付体の保持剛性を確保でき、支持枠体の狭幅化に対応することができる表示装置を提供する。【解決手段】パネル１の周縁部を支持する支持枠体２と、パネル１の周縁部を支持枠体２に押付けて取付ける固定枠体３と、パネル１を表示面１ａに沿う方向へ押付ける弾性部材７２及び係止部７３を有し、表示面１ａに沿う方向への回動を可能に支持枠体２に枢着してある押付体７とを備え、押付体７がパネル１を押付ける押付位置で係止部７３と係合することが可能な被係止部２６を支持枠体２に設けることにより、支持枠体２の収縮に影響されることなくパネル１のガタつきを防ぐようにした。【選択図】図１
2008145870.tif 000002
【特許請求の範囲】
【請求項１】
表示面を有するパネルの周縁部を支持する支持枠体を備える表示装置において、前記パネルを前記表示面に沿う方向へ押付ける押付部を有し、前記表示面に沿う方向への回動が可能な押付体を前記支持枠体に枢着してあり、前記押付体の回動復帰を規制する規制手段を備えることを特徴とする表示装置。
【請求項２】
前記支持枠体は前記押付体を枢着する枢軸、及び前記押付体が前記枢軸から抜出るのを防止する抜止部を一体に成形してある請求項１記載の表示装置。
【請求項３】
前記規制手段は、前記支持枠体及び押付体の一方に設けられている係止部、及び押付体がパネルを押付ける押付位置で前記係止部と係合することが可能に他方に設けられている被係止部を有する請求項１記載の表示装置。
【請求項４】
前記パネルの周縁部を前記支持枠体に押付けて固定する固定枠体を備え、前記規制手段は前記固定枠体の前記押付体と対向する個所に一体に成形され、該押付体を前記パネルに押圧する押圧部を有する請求項１記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビ等の表示装置は、表示面を前側に有し、四角形をなすパネルの周縁部を支持する支持枠体と、前記パネルの周縁部を前記支持枠体に押付けて固定する固定枠体と、前記支持枠体の角部に保持され、前記パネルの角部に当接することが可能なクッション材とを備え、該クッション材が支持枠体の角部に保持された後、パネルが支持枠体に載置されることにより、パネルの支持枠体に対する位置を決めるように構成された表示装置が知られている（例えば、特許文献１参照）。
【０００３】
また、表示装置のパネルはガラス製であるのに対し、パネルを支持する支持枠体は合成樹脂により一体成形され、表示装置全体の軽量化が図られている。
【特許文献１】特許第３６９１７９１号公報
【発明の開示】
【発明が解決しようとする課題】
【０００４】
以上のように支持枠体が合成樹脂製である場合、支持枠体の温度による収縮率が比較的大きいため、例えば比較的大形の支持枠体が一体成形されるときの雰囲気温度と、パネルが支持枠体に支持されるときの雰囲気温度とが異なる際、支持枠体の収縮により該支持枠体の角部に保持されている前記クッション材とパネルの外周縁との間の隙間が減少し、パネルを支持枠体に載置支持することが困難になることがある。また、前記隙間の減少を見込んで支持枠体及びクッション材が形成された場合、パネルが支持枠体に支持されるときの雰囲気温度によってはクッション材とパネルの外周縁との間の隙間が大きくなり過ぎることになり、パネルの位置を決めることができず、該パネルにガタつきが発生することになる。
【０００５】
ところで、本発明の出願人はパネルの周縁部を支持する支持枠体に、パネルの表示面に沿う方向へ貫通する案内溝を設け、パネルを前記表示面に沿う方向へ押付ける押付部を有する押付体を前記案内溝に移動を可能に保持し、該押付体を案内溝に沿って表示面に沿う方向へ移動させることにより、パネルを表示面に沿う方向へ押付け、パネルの支持位置を決め、支持枠体の収縮に影響されることなくパネルのガタつきを防ぐように構成した表示装置を先に提案した。
【０００６】
しかし、この表示装置にあっては、押付体を非押付位置から押付位置へ移動させるための移動ストロークを支持枠体の案内溝に確保する必要があるため、押付体の保持剛性を確保できて、しかも支持枠体の枠部幅を狭くするのに支障を来すことになり、改善策が要望されていた。
【０００７】
本発明は斯かる事情に鑑みてなされたものであり、主たる目的はパネルの表示面に沿う方向への回動が可能な押付体を支持枠体に枢着し、該押付体の回動復帰を規制する規制手段を設けることにより、支持枠体の収縮に影響されることなくパネルのガタつきを防ぐことができるとともに、押付体の保持剛性を確保でき、支持枠体の狭幅化に対応することができる表示装置を提供することにある。
【０００８】
また、他の目的は押付体を枢着する枢軸、及び押付体が枢軸から抜出るのを防止する抜止部を支持枠体に一体に成形してある構成とすることにより、押付体の保持構造を簡素にでき、部品点数を増加することなく押付体を保持することができる表示装置を提供することにある。
【０００９】
また、他の目的は支持枠体及び押付体の一方に係止部を設け、該係止部と係合することが可能な被係止部を他方に設けることにより、パネルのガタつき防止状態を確実に維持することができる表示装置を提供することにある。
【００１０】
また、他の目的はパネルの周縁部を支持枠体に押付けて固定する固定枠体の押付体と対向する個所に押圧部を一体に設けることにより、パネルのガタつき防止状態を確実に維持することができる表示装置を提供することにある。
【課題を解決するための手段】
【００１１】
本発明に係る表示装置は、表示面を有するパネルの周縁部を支持する支持枠体を備える表示装置において、前記パネルを前記表示面に沿う方向へ押付ける押付部を有し、前記表示面に沿う方向への回動が可能な押付体を前記支持枠体に枢着してあり、前記押付体の回動復帰を規制する規制手段を備えることを特徴とする。
【００１２】
この発明にあっては、支持枠体に枢着してある押付体を回動操作することにより、該押付体をパネルの周縁に当接させて支持枠体の収縮に影響されることなくパネルのガタつきを防ぐことができる。また、支持枠体は押付体を枢着するだけの枠部幅にすることができるため、押付体の保持剛性を確保できて、しかも支持枠体の狭幅化に対応することができる。
【００１３】
また、本発明に係る表示装置は、前記支持枠体は前記押付体を枢着する枢軸、及び前記押付体が前記枢軸から抜出るのを防止する抜止部を一体に成形してあることを特徴とする。
【００１４】
この発明にあっては、支持枠体に枢軸及び抜止部が一体に成形されているため、押付体の保持構造が簡素であり、部品点数を増加することなく押付体を保持することができる。
【００１５】
また、本発明に係る表示装置は、前記規制手段は、前記支持枠体及び押付体の一方に設けられている係止部、及び押付体がパネルを押付ける押付位置で前記係止部と係合することが可能に他方に設けられている被係止部を有することを特徴とする。
【００１６】
この発明にあっては、押付体がパネルを押付ける押付位置で係止部及び被係止部が係合し、押付体の復帰回動を規制することができるため、パネルのガタつき防止状態を確実に維持することができる。
【００１７】
また、本発明に係る表示装置は、前記パネルの周縁部を前記支持枠体に押付けて固定する固定枠体を備え、前記規制手段は前記固定枠体の前記押付体と対向する個所に一体に成形され、該押付体を前記パネルに押圧する押圧部を有することを特徴とする。
【００１８】
この発明にあっては、支持枠体に支持されているパネルの周縁部を固定枠体が押付けて支持枠体に固定する際、固定枠体の押圧部が押付体に接触し、該押付体をパネルに押圧し、押付体の復帰回動を規制することができるため、パネルのガタつき防止状態を確実に維持することができる。
【発明の効果】
【００１９】
以上詳述したように本発明によれば、支持枠体に枢着してある押付体を回動操作することにより該押付体をパネルの周縁に当接させて支持枠体の収縮に影響されることなくパネルのガタつきを防ぐことができ、押付体の保持剛性を確保できて、しかも支持枠体の狭幅化に対応することができる。
【００２０】
また、本発明によれば、押付体の保持構造が簡素であり、部品点数を増加することなく押付体を保持することができる。
【００２１】
また、本発明によれば、係止部及び被係止部により押付体の復帰回動を規制することができるため、パネルのガタつき防止状態を確実に維持することができる。
【００２２】
また、本発明によれば、固定枠体の押圧部が押付体をパネルに押圧し、押付体の復帰回動を規制することができるため、パネルのガタつき防止状態を確実に維持することができる。
【発明を実施するための最良の形態】
【００２３】
以下本発明をその実施の形態を示す図面に基づいて詳述する。図１は本発明に係る表示装置の一部の構成を示す断面図、図２は表示装置の支持枠体の構成を示す正面図、図３は要部の構成を示す正面図、図４は図３のIV−IV線の断面図、図５は要部の構成を示す断面図である。
【００２４】
図示した表示装置はテレビ画像を表示する表示面１ａを有し、前面視略四角形をなすパネル１と、該パネル１の周縁及び周縁部後面を支持する合成樹脂製の支持枠体２と、パネル１の周縁部前面に接触し、パネル１の周縁部後面を支持枠体２に押付けて固定する固定枠体３と、支持枠体２を支持する箱形をなすバックライトシャーシ４と、該バックライトシャーシ４内に収容支持する複数のランプ５と、該ランプ５及びパネル１の間に配置され、ランプ５が放射した光を拡散させる拡散板等の光学シート６と、表示面１ａに沿う方向への回動を可能に支持枠体２に枢着され、パネル１の周縁に当接して該パネル１を表示面１ａに沿う方向へ押付ける押付体７とを備えている。
【００２５】
支持枠体２はパネル１の周縁部後面に接触し、上部及び下部が長辺の環板部２１と、該環板部２１の外周縁に連なり、バックライトシャーシ４の周縁と対向する枠部２２とを有し、合成樹脂により一体に成形されている。上部の横方向両端部及び一側部の上下端部には、環板部２１から前方へ延出された枢軸２３と、環板部２１及び枠部２２の連なり部が内方へ窪む凹部２４と、該凹部２４を環板部２１に沿って貫通する貫通孔２５と、該貫通孔２５の孔縁に連なる被係止部２６とが一体に成形されている。
【００２６】
環板部２１の下部及び他側部には前方へ延出された延出凸部２１ａ，２１ｂが一体に成形され、下部の延出凸部２１ａはパネル１の荷重を負担し、他側部の延出凸部２１ｂはパネル１の他側方向への移動を規制するようになっており、また、環板部２１の複数個所がバックライトシャーシ４の周縁部に複数のビスにより取付けられるように構成されている。また、環板部２１の前面にはパネル１を弾性的に受止める弾性体８が貼着されている。
【００２７】
上部の横方向両端部の枢軸２３，２３に、パネル１を下部の延出凸部２１ａへ押付ける押付体７，７を枢着してあり、一側部の上下端部の枢軸２３，２３に、パネル１を他側部の延出凸部２１ｂへ押付ける押付体７，７を枢着してある。枢軸２３の軸端にはラジアル方向外方へ延出された凸状の二つの抜止部２３ａが等配され、押付体７が枢軸２３から抜出るのを防止することができるように構成されている。
【００２８】
図６は押付体の構成を示すもので、(a) は正面図、(b) は側面図、(c) は底面図、(d) は背面図である。図７は弾性部材を省略した押付体の構成を示す斜視図である。押付体７は、板状の略直方形をなし、長手方向の一端部に開設され、枢軸２３に挿嵌される軸孔７１と、他端部の幅方向一側に保持されているゴム製の弾性部材７２と、幅方向他側から弾性部材７２と対向するように延出されている係止部７３とを有する。尚、弾性部材７２がパネル１を表示面１ａに沿う方向へ押付ける押付部を構成している。
【００２９】
軸孔７１は、抜止部２３ａに対応する二つの溝７１ａと、該溝７１ａに連なる四半円形の回動規制凹部７１ｂ，７１ｂとを有し、抜止部２３ａが溝７１ａに嵌入される状態で軸孔７１に枢軸２３が挿嵌されたとき、抜止部２３ａが溝７１ａを抜出し、この状態で押付体７を回動させることにより、抜止部２３ａが回動規制凹部７１ｂ，７１ｂに沿って約９０度回動変位し、この回動で弾性部材７２がパネル１の周縁に当接し、該パネル１を下部及び他側部の延出凸部２１ａ，２１ｂへ押付けるように構成されている。
【００３０】
固定枠体３は金属板からなり、支持枠体２の環板部２１に対向する押付板部３１と、該押付板部３１の外縁から後方へ延出され、支持枠体２の枠部２２と対向する枠部３２とを有し、押付板部３１の複数個所が支持枠体２の環板部２１にビスにより取付けられるように構成されている。また、この固定枠体３を支持枠体２に套嵌し、パネル１を環板部２１に押付けて固定した際、枠部３２が押付体７の幅方向他側に接近し、押付体７が不用意に回動復帰するのを規制するようになっている。また、押付板部３１の内側にはパネル１を弾性的に押付ける弾性体９が設けられている。
【００３１】
バックライトシャーシ４は直方体をなす枠部４１と、該枠部４１の後側端を閉鎖する蓋板４２とを有する箱形をなしており、周縁部に支持枠体２の枠部２２が複数本のビスにより取付けられている。また、バックライトシャーシ４内にはランプ５の両端部を保持するホルダ１０と、ランプ５が発光した光をパネル１に反射させるべき反射シート１１とが収容されている。
【００３２】
以上のように構成された表示装置は、架台に載置されたバックライトシャーシ４に反射シート１１、ホルダ１０及びランプが収容保持された後、ホルダ１０に光学シート６と、押付体７を備える支持枠体２とを載置して支持し、支持枠体２の枠部２２が複数本のビスによりバックライトシャーシ４の枠部４１に取付けられる。次にパネル１を支持枠体２の環板部２１に載置して支持し、パネル１の周縁部に、換言すると支持枠体２に固定枠体３を套嵌する。この後、固定枠体３の枠部３２が複数本のビスにより支持枠体２の枠部２１に取付けられる。
【００３３】
図８は押付体が支持枠体の枢軸に枢着された状態を示す説明図である。このような組立て工程において、パネル１を支持枠体２に支持するとき、該パネル１の周縁を下側の延出凸部２１ａ及び他側の延出凸部２１ｂに当接させ、パネル１の適正位置を決めた後、支持枠体２の枢軸２３に押付体７の軸孔７１を嵌め込み、押付体７を枢軸２３に枢着する。この押付体７をパネル１側へ回動操作することにより、係止部７３が凹部２４を経て貫通孔２５に挿入されるとともに、弾性部材８がパネル１の上縁、一側縁を押付ける。因って、支持枠体２の収縮に影響されることなくパネル１の上下及び横方向のガタつきを防ぐことができ、また、係止部７３が被係止部２６に係合され、押付体７の回動復帰を規制することができ、押付体７の押付位置を維持することができる。
【００３４】
押付体７がパネル１を押付ける際、枢軸２３の抜止部２３ａが回動規制凹部７１ｂに係合し、押付体７が枢軸２３から抜出るのを防ぐことができるため、押付体７を脱落させることなく容易に回動操作、換言すると押付操作することができ、また、約９０度回動操作することにより回動規制凹部７１ｂが押付体７の回動を規制するため、パネル１に過大の押付力が加わるのを防ぐことができる。
【００３５】
図９は本発明に係る表示装置の要部の他の構成を示す断面図である。この表示装置は、押付体７の回動復帰を規制する規制手段として、押付体７に係止部７３を設け、該係止部７３が係合する被係止部２６を支持枠体２に設ける代わりに、固定枠体３の押付体７と対向する個所に、該押付体７をパネル１に押圧する押圧部３３を一体に成形してある。
【００３６】
この実施の形態にあっては、押付体７を押付位置側へ回動操作し、押付体７の支持枠体２に対する出張量を少なくした状態で固定枠体３を支持枠体２に套嵌する際、該固定枠体３の押圧部３３が押付体７の幅方向他側に当接し、該押付体７を押付位置へ回動させることができる。因って、係止部７３及び被係止部２６をなくすることができ、構造をより一層簡素化できる。
【００３７】
尚、以上説明した実施の形態では、押付体７を枢着する手段として、支持枠体２に枢軸２３を設け、押付体７に軸孔７１を設けたが、その他、押付体７に枢軸２３を設け、支持枠体２に軸孔７１を設ける構成としてもよい。
【００３８】
また、以上説明した実施の形態では、直方体に形成された支持枠体２の上部及び一側部に押付体７を枢着したが、その他、押付体７は支持枠体２の上部及び両側部に設ける構成としてもよいし、また、上部の横方向両端部及び一側部の上下端部に設ける他、夫々の両端部及び中間部に設ける構成としてもよい。
【００３９】
また、以上説明した実施の形態では固定枠体３の枠部３２に押圧部３３を設けたが、その他、この押圧部３３は押付体７の幅方向他側部に設け、固定枠体３が支持枠体２に套嵌される際、枠部３２が押圧部３３に接触し、該押圧部３３を押圧するように構成してもよい。
【００４０】
また、本発明に係る表示装置は液晶テレビ等の液晶表示装置である他、プラズマ表示装置、ＥＬディスプレイ等の表示装置であってもよい。
【図面の簡単な説明】
【００４１】
【図１】本発明に係る表示装置の一部の構成を示す断面図である。
【図２】本発明に係る表示装置の支持枠体の構成を示す正面図である。
【図３】本発明に係る表示装置の要部の構成を示す正面図である。
【図４】図３のIV−IV線の断面図である。
【図５】本発明に係る表示装置の要部の構成を示す断面図である。
【図６】本発明に係る表示装置の押付体の構成を示すもので、(a) は正面図、(b) は側面図、(c) は底面図、(d) は背面図である。
【図７】本発明に係る表示装置の弾性部材を省略した押付体の構成を示す斜視図である。
【図８】本発明に係る表示装置の押付体が支持枠体の枢軸に枢着された状態を示す説明図である。
【図９】本発明に係る表示装置の要部の他の構成を示す断面図である。
【符号の説明】
【００４２】
１    パネル
１ａ  表示面
２    支持枠体
２３  枢軸
２３ａ  抜止部
２６  被係止部（規制手段）
３    固定枠体
３３  押圧部（規制手段）
７    押付体
７２  弾性部材（押付部）
７３  係止部（規制手段）
【図１】
2008145870.tif 000003
【図２】
2008145870.tif 000004
【図３】
2008145870.tif 000005
【図４】
2008145870.tif 000006
【図５】
2008145870.tif 000007
【図６】
2008145870.tif 000008
【図７】
2008145870.tif 000009
【図８】
2008145870.tif 000010
【図９】
2008145870.tif 000011